(57)【要約】      （修正有）【課題】生花や線香差しなどの仏具が置けて、線香やろうそくなどの仏具が収納でき、仏壇の下部が隠せる機能を有し、仏壇と仏間との調和がとれる多機能型の仏前台を提供する。【解決手段】仏壇の前に置く台であって、仏壇の本体の扉の開閉を妨げない高さ未満の高さを有し、少なくとも仏間の開口部の横幅以上の横幅を有し、正面視で略長方形状からなり、表面に仏壇と同じうるし塗りの塗装を施した略箱状体からなる。【選択図】図１
0003199060.tif 000002
【実用新案登録請求の範囲】
【請求項１】
仏壇の前に置く台であって、仏壇本体の扉の開閉を妨げない高さ未満の高さを有し、少なくとも仏間の開口部の横幅以上の横幅を有し、正面視で略長方形状からなり、表面に仏壇と同じうるし塗りの塗装を施した略箱状体からなることを特徴とする仏前台。
【請求項２】
平面視で略コ字状の形状を有する略箱状体であって、前記略箱状体左右端部を分離させて、全体で三分割からなる形態とすることを特徴とする請求項１に記載の仏前台。
【請求項３】
平面視で長方形状の形状を有する略箱状体であって、背面部と底面部を有さず、前面部、右側面部、左側面部、上面部の四面からなる略箱状体であることを特徴とする請求項１に記載の仏前台。
【請求項４】
前面部を上下方向又は左右方向に開閉する扉を備えることを特徴とする請求項１乃至請求項３のいずれかに記載の仏前台。
【考案の詳細な説明】
【技術分野】
【０００１】  本考案は仏間における装飾を主眼とした、生花や線香差しなど平素使用する仏具を置く台と、線香やろうそくなど平素使用しない仏具などを収納する箱と、仏壇の下部を隠す衝立の機能を併せ持つ多機能型の仏前台に関する。
【背景技術】
【０００２】  仏壇の周りには平素使用する小物や消耗品、各行事の際にのみ使用する仏具や道具など多数の物があるが、これらの物は経机の上、仏壇の前や仏間の隙間に置いているのが現状である。また仏事の際には必要に応じて一般的な机なども使用することがある。また仏間内の前や隙間に散在しているものは、仏間自体に天井から床面までを隠す扉や襖が設置されている。
【考案の概要】
【考案が解決しようとする課題】
【０００３】  しかしながら経机の場合はその大きさと機能から、生花など大きいものや多数の物が置けないし、仏壇下部も隠せないため外観上見苦しく、収納が小さいため仏具が入りきらないという問題があった。【０００４】  仏事の際に持ってくる一般的な机の場合には、日頃仏具を収納するところがなく、仏壇の周囲に仏具をに散在させており見苦しいという問題があった。【０００５】  扉や襖の場合には仏壇が隠れてしまい、宗派によっては常時仏壇を拝したいという要望に対応できず不満があるという問題があった。【０００６】  大工が造る仏間と仏壇屋が造る仏壇では、高さ、広さ、色などが合わない不自然さに違和感が生じて不満があるという問題があった。【０００７】  そこで本考案は生花や線香差しなどの仏具が置けて、線香やろうそくなどの仏具が収納でき、仏壇の下部が隠せる機能を有し、仏壇と仏間との調和がとれる多機能型の仏前台１を実現させることを目的とする。
【課題を解決するための手段】
【０００８】  本考案におけるうるし塗りとは、本うるし塗り、または合成うるし塗りを意味する。【０００９】  前記目的を達成させるために本考案の請求項１に記載の仏前台１は、仏壇本体２ａの外戸２ｃの開閉を妨げない高さ未満の高さを有し、少なくとも仏間の開口部４の横幅以上の横幅を有し、正面視で略長方形状からなり、表面に仏壇２と同じうるし塗りの塗装を施した略箱状体からなることを特徴とする。【００１０】  請求項２に記載の仏前台１は請求項１において、平面視で略コ字状の形状を有する略箱状体であって、前記略箱状体左右端部を分離させて、全体で三分割からなる形態とすることを特徴とする。【００１１】  請求項３に記載の仏前台１は請求項１において、平面視で長方形状の形状を有する略箱状体であって、背面部と底面部を有さず、前面部１ｄ、右側面部１ｅ、左側面部１ｆ、上面部１ｇの四面からなる略箱状体であることを特徴とする。【００１２】  請求項４に記載の仏前台１は請求項１乃至３のいずれかにおいて、前面に上下方向又は左右方向に開閉する扉５を備えることを特徴とする。
【考案の効果】
【００１３】  請求項１に記載の仏前台１は、箱組みであることによる内部の空間を活用した収納としての機能と、生花や線香差しなど仏具を置く台及び棚としての機能を有し、図８の斜線部７で示した仏壇下部両脇を隠すことによる衝立としての効果を有する。これによって外観は整理整頓され、仏壇の周囲がすっきりとした雰囲気になる。【００１４】  さらに本考案の仏前台１の表面に設置者個々の家の家紋、紋様、又は蒔絵６を描くことにより、設置者個々に独自性がある思い入れを強く持てる仏間を創出する効果を有し、塗装や材質を使用されている仏壇と同じくすることによって仏間と仏壇における高さ、広さ、色などのギャップを埋め、調和のとれた状態にする効果を有する。【００１５】  本考案の仏前台１を設置することにより仏間３と仏壇２の高さ、広さ、色などが合わない不自然さを、仏壇との造作の調和と寸法の調整を行うことによって解消できる。また仏壇周りを収納による整理整頓によって美化し、扉や襖を閉じないことにより、常時仏壇２を拝したいという欲求を満足させる効果を有する。【００１６】  請求項２に記載の仏前台１は、誚求項１に記載の考案の効果を有するとともに、形状を略コ字状とすることにより、側面を覆うことで様々な仏間３や仏壇２の設置状況に対する選択性が拡がり、収納量も増えるという効果を有する。【００１７】  請求項３に記載の仏前台１は、請求項１に記載の考案の効果を有するとともに、和室の大きさにより常時置くことが難しい場合には、軽量化を図ることにより、例えば日常は他の場所に保管しておいて、仏事に容易に運び込んで設置できるという効果を有する。【００１８】  請求項４に記載の仏前台１は、請求項１に記載の考案の効果を有するとともに、前面から収納物の出し入れがしやすいという効果を有する。
【図面の簡単な説明】
【００１９】
【図１】本考案の請求項１の実施例を示す箱状に組んだ台の概略図である。
【図２】本考案の請求項１の実施例を示す箱状に組んだ台の概略図で図１と異なる形態を示す図である。
【図３】本考案の請求項１の実施例を示す箱状に組んだ台の概略図で図１、図２と異なる形態を示す図である。
【図４】本考案の請求項１の実施例を示す箱状に組んだ台の概略図で図１、図２、図３と異なる形態を示す図である。
【図５】本考案の請求項２の実施例を示す箱状に組んだ台の概略図である。
【図６】本考案の請求項２の実施例を示す箱状に組んだ台の概略図で図５と異なる形態を示す図である。
【図７】本考案の請求項３の実施例を示す箱状に組んだ台の概略図である。
【図８】現状の仏間における本考案により不可視にすることができる範囲を斜線で示した図である。
【考案を実施するための形態】
【００２０】  本考案の仏前台１は図１乃至図４に示すように、仏壇２の前に置く台であって、仏壇本体２ａの外戸２ｃの開閉を妨げない高さ未満の高さを有し、少なくとも仏間の開口部４の横幅以上の横幅を有し、正面視で略長方形状からなり、表面に仏壇２と同じうるし塗りの塗装を施した略箱状体からなる。また上部を蓋状体にすれば、物を出し入れできる。
【００２１】  本考案の仏前台１は受注して生産するものであり、設置されている仏壇２、仏間３に合わせて色、横幅、奥行き、高さを設計し製作するものである。
【００２２】  一般に仏壇２は図８に示すように、本尊を入れる仏壇本体２ａと下台２ｂからなる。本考案の仏前台１の高さは上限が仏壇本体２ａの備えている外戸２ｃの開閉、膳引２ｄの開閉を邪魔しない高さ未満であり、下台２ｂを隠せる高さの中で選択する。
【００２３】  一般に仏壇２は仏間３に置かれる。そうすると大工が造った仏間３が設置する仏壇２より大きすぎる場合、仏壇２が貧弱に見える。このような場合、使用されている仏壇２及び仏間３の大きさや色に基づいて本考案の仏前台１の横幅を仏間の開口部４の横幅以上にすることにより、仏間３と仏壇２の間の広い空間を見た目で解消させて、外観の貧弱さを補うことができる。
【００２４】  そして本考案の仏前台１の表面は、既に設置されている仏壇の色に合わせて塗装する。例えば黒なら黒、紫檀色なら紫檀色に合わせる。仏壇に塗布する色としては黒色、黒檀色、紫檀色、暗褐色、朱色などがある。
【００２５】  本考案の仏前台１の材質はマツ、ケヤキ、檜、杉、桐などの木材から作られる。
【００２６】  また図５に示すように正面視で中央部１ａと左右端部１ｂ、１ｃが分離し、側面視では分離箇所がない形態と、図６に示すように正面視では分離されず側面視で中央部１ａと左右端部１ｂ、１ｃが分離する形態を有する、平面視で略コ字状の形状を有する略箱状体であって、前記略箱状体の左右端部を分割し、三分割することもできる。
更に図６で示すような側面で分割された場合は中央部１ａと左右端部１ｂ、１ｃの高さを可変させることができる。
【００２７】  また図７に示すように本考案の仏前台１は、平面視で長方形状の形状を有する略箱状体であって、背面部と底面部を有さず、前面部１ｄ、右側面部１ｅ、左側面部１ｆ、上面部１ｇの四面からなる略箱状体とすることができる。４枚の板のみで構成されているので極めて軽量に作ることができ、容易に移動が可能となる。
【００２８】  また本考案の仏前台１の前面を、図１、図２、図６に示すように、上下方向又は左右方向に開閉できる扉５とすることができる。これにより収納物を容易に出し入れでき、収納物を完全に見えないようにすることができる。
【００２９】  また仏間の大きさに合わせて本考案の仏前台１を設置することにより、図８の斜線部７で示した仏壇下部両脇を隠すことができる衝立としての効果を有し、仏間と仏壇における高さ、広さ、色などのギャップを埋め、仏間全体を一体感のある調和のとれた状態とすることができる。
【００３０】  一般的な仏壇製造の技術や手法である蒔絵を描く技術を使って、図１、図２、図３、図５、図６、図７に示すように、家紋、紋様、又は蒔絵６を描くことにより個々の設置者の独自性を得ることによる満足感を充足させることができる。
【００３１】  日常は生花や線香差しなど仏具を置く台及び棚としての機能と、線香やろうそくなど平素使用しない仏具などを収納する箱としての機能を有し、常時設置することにより仏事の時にも、机や台をその都度用意することなく対応することができる。仏具などが台上や内部にすっきり納まることで仏間全体が整理整頓でき、部屋としての一体感を創出することができる。
【符号の説明】
【００３２】１    仏前台
１ａ  中央部
１ｂ  左端部
１ｃ  右端部
１ｄ  前面部
１ｅ  右側面部
１ｆ  左側面部
１ｇ  上面部
２    仏壇
２ａ  仏壇本体
２ｂ  下台
２ｃ  外戸
２ｄ  膳引
３    仏間
４    仏間の開口部
５    扉
６    家紋、紋様又は蒔絵
７    斜線部
【図１】
0003199060.tif 000003
【図２】
0003199060.tif 000004
【図３】
0003199060.tif 000005
【図４】
0003199060.tif 000006
【図５】
0003199060.tif 000007
【図６】
0003199060.tif 000008
【図７】
0003199060.tif 000009
【図８】
0003199060.tif 000010